(57)【要約】      （修正有）【課題】ワイヤ支持タイプの対物レンズ駆動装置におけるスピンドルモータの占有スペースの拡大に伴う対物レンズ駆動装置の光ディスクの内周側への移動の制約やレンズホルダの可動範囲の制約が緩和される構成の対物レンズ駆動装置、光ピックアップ並びに光記録再生装置を提供する。【解決手段】ワイヤベース３３に一端側が保持されたワイヤ３２の他端側にレンズホルダ２７の両側面が固定される。対物レンズ駆動装置は、少なくともワイヤベース３３を覆うカバー２３を有する。カバー２３におけるディスクの半径方向の内側と外側にそれぞれ対応する側板部２３ｄ、２３ｆのうち、少なくとも内側の側板部２３ｄにおけるスピンドルモータの外周面に近接する部分の一部を欠除させる。【選択図】図７
2007066494.tif 000002
【特許請求の範囲】
【請求項１】
ディスクを回転させるスピンドルモータを有し、ディスクの半径方向に設けられたガイドアームに沿って光ピックアップを移動自在に装着した光再生または光記録再生装置における前記光ピックアップに搭載される対物レンズ駆動装置であって、
前記対物レンズ駆動装置は、ワイヤベースに一端側が保持されたワイヤの他端側にレンズホルダが固定された構造を有すると共に、
前記対物レンズ駆動装置は、少なくとも前記ワイヤベース近傍のワイヤを覆うカバーを有し、
前記カバーにおける前記ディスクの半径方向の内側と外側にそれぞれ対応する側板部のうち、少なくとも内側の側板部における前記スピンドルモータの外周面に近接する部分の一部を欠除させた
ことを特徴とする対物レンズ駆動装置。
【請求項２】
請求項１に記載の対物レンズ駆動装置において、
前記カバーは、前記ワイヤベースを覆う分割体と、この分割体と前記対物レンズを挟んで反対側の部分を覆う別の分割体とに分割された構造を有し、これらの分割体の間に前記欠除部が形成される
ことを特徴とする対物レンズ駆動装置。
【請求項３】
請求項１または２に記載の対物レンズ駆動装置において、
前記側板部の前記欠除部の近傍の内側への変形を防止する手段を設けた
ことを特徴とする対物レンズ駆動装置。
【請求項４】
請求項３に記載の対物レンズ駆動装置において、
前記側板部の内面における前記欠除部近傍に入隅部を設け、この入隅部が前記ワイヤベースのコーナー部に当接することにより前記側板部の前記欠除部の近傍の内側への変形を防止した
ことを特徴とする対物レンズ駆動装置。
【請求項５】
請求項１から４までのいずれかに記載の対物レンズ駆動装置において、
前記側板部の前記欠除部近傍は、欠除部に近いほど側板部の外面がレンズホルダ側に近づくようにテーパー状に形成した
ことを特徴とする対物レンズ駆動装置。
【請求項６】
請求項１から５までのいずれかに記載の対物レンズ駆動装置を有する
ことを特徴とする光ピックアップ。
【請求項７】
請求項６に記載の光ピックアップを有する
ことを特徴とする光記録再生装置。
【発明の詳細な説明】
【技術分野】
【０００１】
本発明は、ＣＤ、ＤＶＤ、ＭＯ、ＭＤ等の光ディスクに使用する対物レンズ駆動装置とこれを備えた光ピックアップ並びに光記録再生装置に係わり、特に対物レンズ駆動装置を覆うカバーの構造に関する。
【背景技術】
【０００２】
光記録再生装置においては、特許文献１に記載のように、ディスクを支持する円盤を回転させるスピンドルモータを備え、ディスクの半径方向に光ピックアップを移動自在に装着し、光ピックアップに対物レンズとその駆動装置を設置する。対物レンズ駆動装置は、対物レンズの上面を開口させたカバーにより、対物レンズ駆動装置を覆って保護する。特許文献１に記載のカバーは、対物レンズ駆動装置のディスク半径方向の内側、外側部分に対応する側面部をそれぞれ覆う門形をなしている。また、特許文献２には、対物レンズ駆動装置のディスク半径方向の内側、外側に相当する両側面および上面の対物レンズ対応の開口部以外の部分を覆う構造のカバーが開示されている。
【０００３】
これらのカバーは、製造工程において作業者の指が前記ワイヤやワイヤをワイヤベースに保持するダンパー剤に接触する等の理由により、ワイヤが変形したり折損したりすることを防止し、また、ダンパー剤に油や水が付着、混入して変質させたりすることを防止するために設けられる。
【０００４】
【特許文献１】特開平９-１８０２２３号公報
【特許文献２】特開２０００-１６３７７０号公報
【発明の開示】
【発明が解決しようとする課題】
【０００５】
近年における光記録再生の高速化に伴い、スピンドルモータは容量が拡大し、半径方向の占有スペースが拡大しつつある。このようにスピンドルモータの占有スペースが拡大した状況において、光ピックアップの従来構造を踏襲した場合には、対物レンズ駆動装置を光ディスクの内周側まで移動できなくなる。また、カバーのスピンドルモータへの衝突を防ぐため、カバーの内周側の側板部をモータの外周形状に合わせて弧状に湾曲させると、レンズホルダの稼動範囲が制限され、レンズホルダの可動範囲が狭くなるという問題点がある。
【０００６】
本発明は、上記問題点に鑑み、ワイヤ支持タイプの対物レンズ駆動装置におけるスピンドルモータの占有スペース拡大に伴う対物レンズ駆動装置の光ディスクの内周側への移動の制約やレンズホルダの可動範囲の制約が緩和される構成の対物レンズ駆動装置、光ピックアップ並びに光記録再生装置を提供することを目的とする。
【０００７】
また、本発明の他の目的は、対物レンズ駆動装置を指で掴んだ場合における側板部の変形が防止できる構造の対物レンズ駆動装置、光ピックアップ並びに光記録再生装置を提供することにある。
【課題を解決するための手段】
【０００８】
本発明の対物レンズ駆動装置は、ディスクを回転させるスピンドルモータを有し、ディスクの半径方向に設けられたガイドアームに沿って光ピックアップを移動自在に装着した光再生または光記録再生装置における前記光ピックアップに搭載される対物レンズ駆動装置であって、
前記対物レンズ駆動装置は、ワイヤベースに一端側が保持されたワイヤの他端側にレンズホルダが固定された構造を有すると共に、
前記対物レンズ駆動装置は、少なくとも前記ワイヤベース近傍のワイヤを覆うカバーを有し、
前記カバーにおける前記ディスクの半径方向の内側と外側にそれぞれ対応する側板部のうち、少なくとも内側の側板部における前記スピンドルモータの外周面に近接する部分の一部を欠除させた
ことを特徴とする。
【０００９】
また、本発明の対物レンズ駆動装置は、前記カバーが、前記ワイヤベースを覆う分割体と、この分割体と前記対物レンズを挟んで反対側の部分を覆う別の分割体とに分割された構造を有し、これらの分割体の間に前記欠除部が形成される
ことを特徴とする。
【００１０】
また、本発明の対物レンズ駆動装置は、前記側板部の前記欠除部の近傍の内側への変形を防止する手段を設けた
ことを特徴とする。
【００１１】
また、本発明の対物レンズ駆動装置は、前記側板部の内面における前記欠除部の近傍に入隅部を設け、この入隅部が前記ワイヤベースのコーナー部に当接することにより前記側板部の前記欠除部の近傍の内側への変形を防止した
ことを特徴とする。
【００１２】
また、本発明の対物レンズ駆動装置は、前記側板部の前記欠除部近傍は、欠除部に近いほど側板部の外面がレンズホルダ側に近づくようにテーパー状に形成した
ことを特徴とする。
【００１３】
本発明の光ピックアップは、前記したいずれかの対物レンズ駆動装置を有することを特徴とする。本発明の光記録再生装置は、前記光ピックアップを有することを特徴とする。
【発明の効果】
【００１４】
本発明の対物レンズ駆動装置は、対物レンズ駆動装置のカバーにおける前記ディスクの半径方向の内側と外側にそれぞれ対応する側板部のうち、少なくとも内側の側板部における前記スピンドルモータの外周面に近接する部分の一部を欠除させたものである。ここで、前記カバーの欠除部は、光ピックアップのスピンドルモータ側への移動に伴い、レンズホルダにおけるスピンドルモータに最も近接する位置に設けられるので、本発明のカバー構造では、スピンドルモータの対物レンズ駆動装置の側板部における最も当接しやすい部分が欠除された構造となる。このため、スピンドルモータの半径が大きくなっても、対物レンズ駆動装置を内周側まで移動させることが可能になる。
【００１５】
また、本発明のように、前記欠除部を設けた構造では、側板部を湾曲させる場合に比較して、レンズホルダのディスク半径方向の可動範囲を狭めることがない。
【００１６】
また、前記ワイヤの先端を固定するワイヤ固定部がレンズホルダの側面部に露出した構造であっても、欠除部はこのワイヤ固定部に対応する部分とその近傍のみとすることにより、製造工程において、作業者がカバーを把持した場合に指がワイヤに接触することがなく、ワイヤベースに設けられるダンパー剤に接触することも防止され、ワイヤの変形、折損やダンパー剤の変質等を防止することができる。
【００１７】
本発明において、前記側板部の内面における前記欠除部の近傍に入隅部を設け、この入隅部を前記ワイヤベースのコーナー部に当接させることにより、組み合わせ強度があがり、側板部の曲がりを防止することができる。
【００１８】
また、本発明において、前記のようにワイヤ固定部をレンズホルダの側面に突出させ、かつラッキングコイルやフォーカスコイル等のからげ部はレンズホルダの側面から突出させて形成する場合、前記側板部の欠除部は、前記からげ部に対応する部分を含めて形成することにより、前記欠除部を設けたことによる効果が助長される。すなわち、からげ部はレンズホルダの側面から、ワイヤ固定部よりも突出させて形成されるため、このからげ部を側板部で覆う構造では、側板部が光ディスクの半径方向の内側へ突出する量が大となるが、このからげ部に対応する側板部を欠除させることにより、対物レンズ駆動装置を光ディスクの内周側まで移動させることが可能になる。
【００１９】
また、本発明において、前記側板部の前記欠除部近傍は、欠除部に近いほど側板部の外面がレンズホルダ側に近づくようにテーパー状に形成することにより、カバーの側板部とスピンドルモータとの干渉を防止し、対物レンズ駆動装置の光ディスクの内周側までの移動を可能にする構造の実現が容易となる。
【００２０】
また、本発明において、前記カバーが、前記ワイヤベースを覆う分割体と、この分割体と前記対物レンズを挟んで反対側の部分を覆う別の分割体とに分割された構造を有し、これらの分割体の間に前記欠除部が形成される構成とすれば、２つの分割体とがそれぞれ両側に側板部を有するほぼ対称形に形成されるので、プラスチックの成形、収縮時における歪の発生を小さくし、製作誤差を小さくすることができる。
【発明を実施するための最良の形態】
【００２１】
図１は本発明の対物レンズ駆動装置を適用する光記録再生装置の一実施の形態を示すブロック図である。図１において、１は光記録媒体または光磁気記録媒体からなる記録媒体（ディスク）であり、この記録媒体１はスピンドルモータ２により回転される。３は記録媒体１に対して前記対物レンズ４を通してレーザ光を照射して記録、再生を行う光ピックアップである。この光ピックアップ３は、記録媒体１の面ぶれ、トラックの振れに対して対物レンズ４を追従させる対物レンズ駆動装置を搭載する。光ピックアップ３を構成する可動台は粗動モータ５により記録媒体１の半径方向に駆動される。光ピックアップ３によって光電変換される電気信号は信号処理系６により演算処理され、演算処理により得られたトラッキングエラー信号、フォーカスエラー信号、再生信号等が、装置全体を制御するドライブコントローラ７に入力される。８は光ピックアップ制御系であり、光ピックアップ３のレーザ光の出力、出射パルスの制御と、前記エラー信号に基づいて対物レンズ駆動装置の動作の制御を行う。９は前記スピンドルモータ２の駆動制御系、１０は粗動モータ５の駆動制御系である。１１は外部との信号のやりとりを行うインターフェイスである。この光記録再生装置はキャビネットの中に組み込まれる。
【００２２】
図２は本発明による対物レンズ駆動装置を用いる光ピックアップ３の一実施の形態を示すブロック図である。図２において、１２はレーザーユニットからなる光源、１３は光源１２からのレーザ光を複数のビームに分割する回折素子、１４は回折素子１３から出たレーザ光を平行光とするコリメートレンズ、１５はビームスプリッタであり、該ビームスプリッタ１５は、コリメートレンズ１４からの光を対物レンズ４で集光して記録媒体（ディスク）１側に透過させ、記録媒体１から対物レンズ４を透過した反射光をディテクタ１６側に反射させる。１７はビームスプリッタ１５からの反射光をディテクタ１６上に収束させるアナモフィックレンズである。このアナモフィックレンズ１７は入射側がシリンドリカル面、出射側が凹面となっている複合レンズで、前記凹面は、復路光学系の倍率を最適化すると共に、前記アナモフィックレンズ１７を光軸に沿った方向に移動することで前記情報光がディテクタ１６内部の受光面上で適正な大きさで集束するよう調整可能とする目的で設けている。
【００２３】
前記アナモフィックレンズ１７のシリンドリカル面を透過する際に、前記情報光は非点収差を発生し、この非点収差はフォーカスエラーの検出に用いられる。このフォーカスエラー検知方式は非点収差法と称される。トラッキングエラー信号は、光源１２から出射されたレーザ光を回折素子１３に通すことにより得られた２つの副ビームの差の信号により得る方法または主ビームを含めた差の信号から得る。なお、本発明において、このトラッキングエラー信号は、プッシュプル法、ウォブリング法、ヘテロダイン法により求めるようにしてもよい。また、フォーカスエラー信号の作成方法としてはナイフエッジ法、フーコー法、臨界角法を適用することが可能である。
【００２４】
図３は本発明による対物レンズ駆動装置の一実施の形態をスピンドルモータ等と共に示す平面図である。図３において、２０はディスク１の半径方向に平行に設置された２本のガイドアームであり、前記光ピックアップ３はこれらのガイドアーム２０に沿って移動自在に装着される。光ピックアップ３には図２に示した光学素子１２〜１７および対物レンズ駆動装置２１が搭載される。
【００２５】
図４は対物レンズ駆動装置２１の外観を示す斜視図、図５はそのカバー２３を取外した状態を示す斜視図、図６はカバー２３を示す図、図７はヨークベース２４の底部を削除して示す底面図である。図４、図５、図７において、２４は光ピックアップ３に固定するヨークベースである。このヨークベース２４は鉄板の打ち抜き、折り曲げにより形成される四角形の枠状をなすもので、両端部に対をなす立ち上げ部２４ａ、２４ｂを有する。２５、２６はこれらの立ち上げ部２４ａ、２４ｂの対向面に固定される永久磁石である。
【００２６】
２７は永久磁石２５、２６間に装着されたレンズホルダであり、このレンズホルダ２７に前記対物レンズ４が固定される。レンズホルダ２７の永久磁石２５、２６との対向面には、トラッキングコイル３０とフォーカスコイル３１とが固定される。
【００２７】
なお、本実施の形態の対物レンズ駆動装置は、チルトコイルがレンズホルダ２７を囲むように設けられるが、その図示を省略している。
【００２８】
３２はレンズホルダ２７を支持するワイヤであり、このワイヤ３２はレンズホルダ２７の左右それぞれ複数本ずつ設けられる。３３はワイヤ３２の一端側を保持するワイヤベースである。３４は前記トラッキングコイル３０やフォーカスコイル３１にワイヤ３２を介して接続される回路基板である。
【００２９】
図７の底面図に示すように、ワイヤベース３３はヨークベース２４の立ち上げ部２４ａに当接または近接させて接着される。またこのワイヤベース３３は、回路基板３４と共に、ヨークベース２４の立ち上げ部２４ａにねじ３５により固定される。
【００３０】
ワイヤ３２の先端側は、レンズホルダ２７の両側面に突出させて設けた固定部３６に固定される。また、ワイヤ３２は、トラッキングコイル３０やフォーカスコイル３１の端面をからげるからげ部３７において、はんだや溶接等により固定されると共に、これらのコイル３０、３１に電気的に接続される。
【００３１】
図６に示すように、対物レンズ駆動装置２１のカバー２３は、下面開口構造のもので、天板部は２つの天板部２３ａ、２３ｂに分割され、一方の天板部２３ａは前記ヨークベース２４の一方の立ち上げ部２４ａ、永久磁石２５、ワイヤベース３３および回路基板３４を覆う。また、他方の天板部２３ｂは他方の立ち上げ部２４ｂ、永久磁石２６を覆う。両天板部２３ａ、２３ｂ間の開口部２３ｃは、対物レンズ４が光ディスク側に臨むために設けられる。また、カバー２３のディスク半径方向の内側に対応する側板部２３ｄの一部、すなわちスピンドルモータ２の外周面に近接する部分の一部を欠除（２３ｅ）している。この欠除部２３ｅは図３に示すように、スピンドルモータ２の中心と対物レンズ４の中心とを結ぶ線Ｙがこの欠除部２３ｅの範囲に含まれるように形成する。本実施の形態においては、この欠除部２３ｅは、前記ワイヤ３２に対面する部分のうち、ワイヤ３２のレンズホルダ２７への固定部３６およびその近傍に対面する部分であり、からげ部３７に対面する部分も欠除してある。他方の側板部２３ｆは欠除されていない。
【００３２】
前記欠除部２３ｅを形成する側の側板部２３ｄの内面における前記欠除部２３ｅの近傍に、ワイヤベース３３のコーナー部に当接する入隅部２３ｇを設ける。
【００３３】
また、前記側板部２３ｄにおける前記欠除部２３ｅに隣接する部分２３ｈを、先端部である欠除部２３ｅの近傍に近い部分ほど肉厚が薄くなり、側板部２３ｄの外面がレンズホルダ側に近づくようにテーパー状の突片状に形成する。このテーパー部２３ｈの基端部は、前記天板部２３ａと一体をなしている。このテーパー部２３ｈは、内面がレンズホルダ２７の側面に平行であり、外面は、先端側がカバー２３の内側に凹むように形成されている。また、ヨークベース２４の欠除部２３ｅおよび前記テーパー部２３ｈに対応する部分２４ｃは、スピンドルモータ２の外周形状にほぼ合致する弧状に形成してある。
【００３４】
カバー２３の四隅の下縁部には係止爪２３iを有し、カバー２３の下縁をヨークベース２４の周辺部上面に載せ、係止爪２３ｉをヨークベース２４の下縁に係止させることによってカバー２３がヨークベース２４に固定される。このとき、図７に示すように、側板部２３ｄの内面部に設けた入隅部２３ｇがワイヤベース３３のコーナー部３３ａに当接する。なお、ここで、入隅部２３ｇはコーナー部３３ａに必ずしも当接する必要はなく、カバー２３を掴んだときに入隅部２３ｇがコーナー部３３ａに当接してテーパー部２３ｈを含む側板部２３ｄの曲がりを防止する程度に近接していればよい。
【００３５】
図４、図７に示すように、このカバー２３をヨークベース２４に取付けた状態では、ワイヤベース３３は、その天板部２３ａと側板部２３ｄ、２３ｆにより覆われ、カバー２３の側板を掴んだ状態では、指は側板部２３ｆとテーパー部２３ｈに当接することとなり、ワイヤベース３３内のダンパー剤に指が接触することはなく、また、油分や水の侵入を防止し、ダンパー剤の変質を防止することができる。
【００３６】
また、ワイヤ３２のワイヤベース３３と固定部３６との間の部分は側板部２３ｄによって半分以上の部分が覆われており、覆われない部分の幅Ｗ１を約３ｍｍ以下に設定することにより、指がこのワイヤ３２に接触することを防ぐことができ、ワイヤ３２の変形や折損を防止することができる。なお、ワイヤ３２の一部やからげ部３７に対応する欠除部２３ｅの幅Ｗ２は本例では５．７ｍｍ、固定部３６とテーパー部２３ｈとの間隔、すなわちワイヤ３２の覆われない部分の幅Ｗ１は本例では１．８５ｍｍとした。
【００３７】
図３に示すように、光ピックアップ５がスピンドルモータ２側に近接する場合、レンズホルダ２７の固定部３６は、スピンドルモータ２の外周部が最も近接する位置にある。本発明においては、この側板部２３ｄにおけるこの固定部３６およびその近傍を欠除させているので、対物レンズ駆動装置２１の光ディスク内周側への移動範囲の制約が緩和され、スピンドルモータ２の半径を大きくすることができる。
【００３８】
本実施の形態においては、レンズホルダ２７の側面部にからげ部３７を有し、このからげ部３７が突出しており、図７に示すようにこのからげ部３７はワイヤ３２の固定部３６より突出量が大きい。このため、このからげ部３７に対応する部分を含めて欠除部２３ｅを形成することにより、対物レンズ駆動装置２１のスピンドルモータ２側への突出量が少なくなり、からげ部３７を有するレンズホルダ２７においても、対物レンズ駆動装置２１の光ディスク内周側への移動範囲の制約が緩和され、スピンドルモータ２の半径を大きくすることができる。
【００３９】
また、この実施の形態においては、前記側板部２３ｄの内面における前記欠除部２３ｅの近傍に入隅部２３ｇを設け、この入隅部２３ｇを前記ワイヤベース３３のコーナー部３３ａに当接させているので、組み合わせ強度があがり、側板部のテーパー部２３ｈの曲がりを防止することができる。
【００４０】
また、この実施の形態においては、前記側板部２３ｄにおける欠除部２３ｅの近傍は、欠除部２３ｅに近いほど側板部の外面がカバー２３の内側に凹むようにテーパー状に形成しているので、カバー２３の側板部２３ｄとスピンドルモータ２との干渉を防止し、対物レンズ駆動装置２１の光ディスクの内周側までの移動を可能にする構造の実現が容易となる。
【００４１】
図８ないし図１０は本発明の他の実施の形態であり、この実施の形態のカバー２３Ａは、前記欠除部２３ｅをディスク半径方向の内側、外側の双方に設けることにより、ワイヤベース３３、立ち上げ部２４ａ、永久磁石２５を覆う分割体２３ｊと、立ち上げ部２４ｂ、永久磁石２６を覆う分割体２３ｋとに分割している。
【００４２】
この実施の形態において、前記実施の形態と同じ部分は同じ符号を付しており、この実施の形態においても前記実施の形態と同様の効果をあげることができる。また、この実施の形態においては、２つの分割体２３ｊ、２３ｋとがそれぞれ両側に側板部を有するほぼ対称形に形成されているので、プラスチックの成形、収縮時における歪の発生を小さくし、製作誤差を小さくすることができる。
【００４３】
図１１は本発明の対物レンズ駆動装置の他の実施の形態を示す斜視図、図１２はそのカバー２３を取外した状態を示す斜視図である。図１１、図１２において、図４、図５と同じ符号は同じ機能を発揮する部分または部品である。図１１、図１２に示す実施の形態においては、レンズホルダ２７を支持するワイヤ３２の先端をレンズホルダ２７の側面に露出しない構造としている。このようにワイヤ３２がレンズホルダ２７の側面に露出しない構造は、レンズホルダ２７に設けた孔にワイヤ２７を挿通して孔内の一部で部分的に固定する構造や一体に成形する手段等によって実現することができる。また、ワイヤ３２のレンズホルダ２７への固定部をレンズホルダの側面を覆う部材の取付けあるいは樹脂により覆う構造等によっても実現可能である。その他、ワイヤ３２をレンズホルダ２７の上面部（記録媒体１側の面）と底面部（記録媒体１の反対側の面）に固定する構造とすることもできる。
【図面の簡単な説明】
【００４４】
【図１】本発明の対物レンズ駆動装置および光ピックアップを適用する光記録再生装置の一例を示すブロック図である。
【図２】本発明の光ピックアップの一実施の形態を示すブロック図である。
【図３】本発明の対物レンズ駆動装置および光ピックアップの一実施の形態を示す平面図である。
【図４】本発明による対物レンズ駆動装置の一実施の形態を示す斜視図である。
【図５】本実施の形態の対物レンズ駆動装置のカバーを取外した状態を示す斜視図である。
【図６】（Ａ）、（Ｂ）、（Ｃ）はそれぞれ本実施の形態のカバーの斜視図、底面図、側面図である。
【図７】本実施の形態の対物レンズ駆動装置をそのヨークベースの底部を削除した状態で示す底面図である。
【図８】本発明による対物レンズ駆動装置の他の実施の形態を示す斜視図である。
【図９】（Ａ）、（Ｂ）、（Ｃ）はそれぞれ本実施の形態のカバーの斜視図、底面図、側面図である。
【図１０】図８の実施の形態の対物レンズ駆動装置をそのヨークベースの底部を削除した状態で示す底面図である。
【図１１】本発明による対物レンズ駆動装置の他の実施の形態を示す斜視図である。
【図１２】図１１の実施の形態の対物レンズ駆動装置のカバーを取外した状態を示す斜視図である。
【符号の説明】
【００４５】
１：記録媒体（ディスク）、２：スピンドルモータ、３：光ピックアップ、４：対物レンズ、５：粗動モータ、６：信号処理系、７：ドライブコントローラ、８：光ピックアップ制御系、９：スピンドルモータの駆動制御系、１０：粗動モータの駆動制御系、１１：インターフェイス、１２：光源、１３：回折素子、１４：コリメータレンズ、１５：ビームスプリッタ、１６：ディテクタ、１７：アナモフィックレンズ、２０：ガイドアーム、２１：対物レンズ駆動装置、２３、２３Ａ：カバー、２３ａ、２３ｂ：天板部、２３ｃ：開口部、２３ｄ、２３ｆ：側板部、２３ｅ：欠除部、２３ｇ：入隅部、２３ｈ：テーパー部、２３ｉ：係止爪、２３ｊ、２３ｋ：分割体、２４：ヨークベース、２４ａ、２４ｂ：立ち上げ部、２５、２６：永久磁石、２７：レンズホルダ、３０：トラッキングコイル、３１：フォーカスコイル、３２：ワイヤ、３３：ワイヤベース、３３ａ：コーナー部、３４：回路基板、３５：ねじ、３６：ワイヤ固定部、３７：からげ部
【図１】
2007066494.tif 000003
【図２】
2007066494.tif 000004
【図３】
2007066494.tif 000005
【図４】
2007066494.tif 000006
【図５】
2007066494.tif 000007
【図６】
2007066494.tif 000008
【図７】
2007066494.tif 000009
【図８】
2007066494.tif 000010
【図９】
2007066494.tif 000011
【図１０】
2007066494.tif 000012
【図１１】
2007066494.tif 000013
【図１２】
2007066494.tif 000014